【手続補正書】
【提出日】平成19年11月16日(2007.11.16)
【手続補正１】
【補正対象書類名】明細書
【補正対象項目名】特許請求の範囲
【補正方法】変更
【補正の内容】
【特許請求の範囲】
【請求項１】  移動可能に支持された対物レンズと、
光ビームを出射する光源と、
上記光源から出射された光ビームと光記録媒体からの反射光ビームとを分離する光分離手段と、
上記光分離手段によって分離された上記光記録媒体からの反射光ビームを第１の光路と第２の光路に分岐する光分岐手段と、
上記第１の光路に分岐された反射光ビームを受光して複数のスポット光に回折する第１の光回折手段と、
上記第１の光回折手段を通して得られる０次光と複数の回折光を受光する複数の分割受光領域を有する第１の光検出手段と、
を有し、
上記第１の光検出手段で受光された０次光から上記光記録媒体に記録された情報信号用のＲＦ信号を再生するとともに、その他の回折光からＤＰＤ法によるトラッキングエラー検出信号を再生するようにした、
ことを特徴とする光ヘッド。
【請求項２】  上記光分離手段及び上記光分岐手段は、互いに別体のビームスプリッタプリズムによって構成されていることを特徴とする請求項１記載の光ヘッド。
【請求項３】  上記第１の光回折手段は、領域を少なくとも４分割したホログラム素子であることを特徴とする請求項１記載の光ヘッド。
【請求項４】  上記第１の光検出手段は、上記ホログラム素子の対角線上に配置された２組みの分割素子からのスポット光を受光する４つの分割受光領域を有することを特徴とする請求項３記載の光ヘッド。
【請求項５】  上記第２の光路に分岐された反射光ビームを用いて、フォーカスエラー検出信号を得ることを特徴とする請求項１記載の光ヘッド。
【請求項６】  上記第２の光路に分岐された反射光ビームを受光して複数のスポット光に回折する第２の光回折手段と、
上記第２の光回折手段を通して得られる０次光と複数の回折光を受光する複数の分割受光領域を有する第２の光検出手段と、
を有し、
上記第２の光検出手段で受光された０次光からプッシュプル法によるトラッキングエラー検出信号を再生し、その他の回折光からフォーカスエラー検出信号を再生するようにしたことを特徴とする請求項５記載の光ヘッド。
【請求項７】  上記第２の光検出手段で受光された光からスポットサイズ法によってフォーカスエラー検出信号を再生することを特徴とする請求項６記載の光ヘッド。
【請求項８】  上記第２の光回折手段は、ホログラム素子であることを特徴とする請求項６記載の光ヘッド。
【請求項９】  上記第２の光回折手段のホログラム素子は、回折光のフォーカスエラー検出に用いる方向にもたせるパワーが、そうでない方向にもたせるパワーより大きいことを特徴とする請求項８記載の光ヘッド。
【請求項１０】  上記第２の光路に、０次光のスポット形状を補正するスポット形状補正手段を設けることを特徴とする請求項１記載の光ヘッド。
【請求項１１】  上記スポット形状補正手段は、シリンドリカルレンズであることを特徴とする請求項１０記載の光ヘッド。
【請求項１２】  上記光分離手段と上記対物レンズとの間に倍率差発生手段を設け、上記倍率差発生手段により、フォーカスエラー検出に用いる方向の倍率が、そうでない方向の倍率よりも大きくなるようになされていることを特徴とする請求項１記載の光ヘッド。
【請求項１３】  上記倍率差発生手段は、アナモルフィックプリズムを含むことを特徴とする請求項１２記載の光ヘッド。
【請求項１４】  上記対物レンズが搭載される可動部と、上記光源、光分離手段、光分岐手段、第１の光回折手段、第１の光検出手段、第２の光回折手段、及び第２の光検出手段が設けられる固定部とを有し、上記可動部を固定部から独立して移動制御することにより、光記録媒体の信号再生を行なうことを特徴とする請求項６記載の光ヘッド。
【請求項１５】  光ビームを出射する光源と、
上記光源から出射された光ビームと光記録媒体からの反射光ビームとを分離する光分離手段と、
上記光分離手段によって分離された上記光記録媒体からの反射光ビームを第１の光路と第２の光路に分岐する光分岐手段と、
上記第１の光路に分岐された反射光ビームを受光して複数のスポット光に回折する第１の光回折手段と、
上記第１の光回折手段を通して得られる０次光と複数の回折光を受光する複数の分割受光領域を有する第１の光検出手段と、
を有し、
上記第１の光検出手段で受光された０次光から上記光記録媒体に記録された情報信号用のＲＦ信号を再生するとともに、その他の回折光からＤＰＤ法によるトラッキングエラー検出信号を再生するようにした、
ことを特徴とする受発光素子。
【請求項１６】  上記光分離手段及び上記光分岐手段は、一体の複合ビームスプリッタプリズムであることを特徴とする請求項１５記載の受発光素子。
【請求項１７】  上記第１の光回折手段は、領域を少なくとも４分割した４分割型ホログラム素子であることを特徴とする請求項１５記載の受発光素子。
【請求項１８】  上記第１の光検出手段は、上記ホログラム素子の対角線上に配置された２組みの分割素子からのスポット光を受光する４つの分割受光領域を有することを特徴とする請求項１７記載の受発光素子。
【請求項１９】  上記第２の光路に分岐された反射光ビームを用いて、フォーカスエラー検出信号を得ることを特徴とする請求項１５記載の受発光素子。
【請求項２０】  上記第２の光路に分岐された反射光ビームを受光して複数のスポット光に回折する第２の光回折手段と、
上記第２の光回折手段を通して得られる０次光と複数の回折光を受光する複数の分割受光領域を有する第２の光検出手段と、
を有し、
上記第２の光検出手段で受光された０次光からプッシュプル法によるトラッキングエラー検出信号を再生し、その他の回折光からフォーカスエラー検出信号を再生するようにしたことを特徴とする請求項１９記載の受発光素子。
【請求項２１】  上記第２の光検出手段で受光された光からスポットサイズ法によってフォーカスエラー検出信号を再生することを特徴とする請求項２０記載の受発光素子。
【請求項２２】  上記第２の光回折手段は、ホログラム素子であることを特徴とする請求項２０記載の受発光素子。
【請求項２３】  上記第２の光回折手段のホログラム素子は、回折光のフォーカスエラー検出に用いる方向にもたせるパワーが、そうでない方向にもたせるパワーより大きいことを特徴とする請求項２２記載の受発光素子。
【請求項２４】  上記第２の光路に、０次光のスポット形状を補正するスポット形状補正手段を設けることを特徴とする請求項１５記載の受発光素子。
【請求項２５】  上記スポット形状補正手段は、シリンドリカルレンズであることを特徴とする請求項２４記載の受発光素子。
【請求項２６】  上記光分離手段と上記対物レンズとの間に倍率差発生手段を設け、上記倍率差発生手段により、フォーカスエラー検出に用いる方向の倍率が、そうでない方向の倍率よりも大きくなるようになされていることを特徴とする請求項１５記載の受発光素子。
【請求項２７】  上記倍率差発生手段は、アナモルフィックプリズムを含む
ことを特徴とする請求項２６記載の受発光素子。
【請求項２８】  光記録媒体を駆動する駆動手段と、
上記駆動手段によって駆動される光記録媒体に対して移動可能に支持された対物レンズを介して光を照射し、上記光記録媒体の信号記録面からの反射光ビームを上記対物レンズを介して光検出手段により検出する光ヘッドと、
光検出手段からの検出信号に基づいて再生信号を生成する信号処理回路と、
光検出手段からの検出信号に基づいて上記対物レンズを移動させるサーボ回路とを有する光記録媒体記録再生装置において、
上記光ヘッドは、光ビームを出射する光源と、
上記光源から出射された光ビームと光記録媒体からの反射光ビームとを分離す
る光分離手段と、
上記光分離手段によって分離された上記光記録媒体からの反射光ビームを第１の光路と第２の光路に分岐する光分岐手段と、
上記第１の光路に分岐された反射光ビームを受光して複数のスポット光に回折する第１の光回折手段と、
上記第１の光回折手段を通して得られる０次光と複数の回折光を受光する複数の分割受光領域を有する第１の光検出手段と、
を有し、
上記第１の光検出手段で受光された０次光から上記光記録媒体に記録された情報信号用のＲＦ信号を再生するとともに、その他の回折光からＤＰＤ法によるトラッキングエラー検出信号を再生するようにした、
ことを特徴とする光記録媒体記録再生装置。
【請求項２９】  上記光分離手段及び上記光分岐手段は、互いに別体のビームスプリッタプリズムによって構成されていることを特徴とする請求項２８記載の光記録媒体記録再生装置。
【請求項３０】  上記第１の光回折手段は、領域を少なくとも４分割したホログラム素子であることを特徴とする請求項２８記載の光記録媒体記録再生装置。
【請求項３１】  上記第１の光検出手段は、上記ホログラム素子の対角線上に配置された２組みの分割素子からのスポット光を受光する４つの分割受光領域を有することを特徴とする請求項３０記載の光記録媒体記録再生装置。
【請求項３２】  上記第２の光路に分岐された反射光ビームを用いて、フォーカスエラー検出信号を得ることを特徴とする請求項２８記載の光記録媒体記録再生装置。
【請求項３３】  上記光ヘッドは、上記第２の光路に分岐された反射光ビームを受光して複数のスポット光に回折する第２の光回折手段と、
上記第２の光回折手段を通して得られる０次光と複数の回折光を受光する複数の分割受光領域を有する第２の光検出手段と、
を有し、
上記第２の光検出手段で受光された０次光からプッシュプル法によるトラッキングエラー検出信号を再生し、その他の回折光からフォーカスエラー検出信号を再生するようにしたことを特徴とする請求項３２記載の光記録媒体記録再生装置。
【請求項３４】  上記第２の光検出手段で受光された光からスポットサイズ法によってフォーカスエラー検出信号を再生することを特徴とする請求項３３記載の光記録媒体記録再生装置。
【請求項３５】  上記第２の光回折手段は、ホログラム素子であることを特徴とする請求項３３記載の光記録媒体記録再生装置。
【請求項３６】  上記第２の光回折手段のホログラム素子は、回折光のフォーカスエラー検出に用いる方向にもたせるパワーが、そうでない方向にもたせるパワーより大きいことを特徴とする請求項３５記載の光記録媒体記録再生装置。
【請求項３７】  上記第２の光路に、０次光のスポット形状を補正するスポット形状補正手段を設けることを特徴とする請求項２８記載の光記録媒体記録再生装置。
【請求項３８】  上記スポット形状補正手段は、シリンドリカルレンズであることを特徴とする請求項３７記載の光記録媒体記録再生装置。
【請求項３９】  上記光分離手段と上記対物レンズとの間に倍率差発生手段を設け、上記倍率差発生手段により、フォーカスエラー検出に用いる方向の倍率が、そうでない方向の倍率よりも大きくなるようになされていることを特徴とする請求項２８記載の光記録媒体記録再生装置。
【請求項４０】  上記倍率差発生手段は、アナモルフィックプリズムを含むことを特徴とする請求項３９記載の光記録媒体記録再生装置。
【請求項４１】  上記光ヘッドは、上記対物レンズが搭載される可動部と、上記光源、光分離手段、光分岐手段、第１の光回折手段、第１の光検出手段、第２の光回折手段、及び第２の光検出手段が設けられる固定部とを有し、上記可動部を固定部から独立して移動制御することにより、光記録媒体の信号再生を行なうことを特徴とする請求項２８記載の光記録媒体記録再生装置。
【請求項４２】  上記対物レンズを高速に移動して、上記光記録媒体の高速な信号再生を行なうことを特徴とする請求項２８記載の光記録媒体記録再生装置。
【請求項４３】  上記光記録媒体が光ディスクであり、上記光ディスクの高速回転によって高速な信号再生を行なうことを特徴とする請求項２８記載の光記録媒体記録再生装置。
【請求項４４】  光記録媒体を駆動する駆動手段と、
上記駆動手段によって駆動される光記録媒体に対して移動可能に支持された対物レンズを介して光を照射し、上記光記録媒体の信号記録面からの反射光ビームを上記対物レンズを介して光検出手段により検出する光ヘッドと、
光検出手段からの検出信号に基づいて再生信号を生成する信号処理回路と、
光検出手段からの検出信号に基づいて上記対物レンズを移動させるサーボ回路とを有する光記録媒体記録再生装置において、
上記光ヘッドは、光ビームを出射する光源と、
上記光源から出射された光ビームと光記録媒体からの反射光ビームとを分離する光分離手段と、
上記光分離手段によって分離された上記光記録媒体からの反射光ビームを第１の光路と第２の光路に分岐する光分岐手段と、
上記第１の光路に分岐された反射光ビームを受光して複数のスポット光に回折する第１の光回折手段と、
上記第１の光回折手段を通して得られる０次光と複数の回折光を受光する複数の分割受光領域を有する第１の光検出手段と、
を有する受発光素子を具備し、
上記第１の光検出手段で受光された０次光から上記光記録媒体に記録された情報信号用のＲＦ信号を再生するとともに、その他の回折光からＤＰＤ法によるトラッキングエラー検出信号を再生するようにした、
ことを特徴とする光記録媒体記録再生装置。
【請求項４５】  上記光分離手段及び上記光分岐手段は、一体の複合ビームスプリッタプリズムであることを特徴とする請求項４４記載の光記録媒体記録再生装置。
【請求項４６】  上記第１の光回折手段は、領域を少なくとも４分割したホログラム素子であることを特徴とする請求項４４記載の光記録媒体記録再生装置。
【請求項４７】  上記第１の光検出手段は、上記ホログラム素子の対角線上に配置された２組みの分割素子からのスポット光を受光する４つの分割受光領域を有することを特徴とする請求項４６記載の光記録媒体記録再生装置。
【請求項４８】  上記第２の光路に分岐された反射光ビームを用いて、フォーカスエラー検出信号を得ることを特徴とする請求項４４記載の光記録媒体記録再生装置。
【請求項４９】  上記受発光素子は、上記第２の光路に分岐された反射光ビームを受光して複数のスポット光に回折する第２の光回折手段と、
上記第２の光回折手段を通して得られる０次光と複数の回折光を受光する複数の分割受光領域を有する第２の光検出手段と、
を有し、
上記第２の光検出手段で受光された０次光からプッシュプル法によるトラッキングエラー検出信号を再生し、その他の回折光からフォーカスエラー検出信号を再生するようにした、
ことを特徴とする請求項４８記載の光記録媒体記録再生装置。
【請求項５０】  上記第２の光検出手段で受光された光からスポットサイズ法によってフォーカスエラー検出信号を再生することを特徴とする請求項４９記載の光記録媒体記録再生装置。
【請求項５１】  上記第２の光回折手段は、ホログラム素子であることを特徴とする請求項４９記載の光記録媒体記録再生装置。
【請求項５２】  上記第２の光回折手段のホログラム素子は、回折光のフォーカスエラー検出に用いる方向にもたせるパワーが、そうでない方向にもたせるパワーより大きいことを特徴とする請求項５１記載の光記録媒体記録再生装置。
【請求項５３】  上記第２の光路に、０次光のスポット形状を補正するスポット形状補正手段を設けることを特徴とする請求項４４記載の光記録媒体記録再生装置。
【請求項５４】  上記スポット形状補正手段は、シリンドリカルレンズであることを特徴とする請求項５３記載の光記録媒体記録再生装置。
【請求項５５】  上記光分離手段と上記対物レンズとの間に倍率差発生手段を設け、上記倍率差発生手段により、フォーカスエラー検出に用いる方向の倍率が、そうでない方向の倍率よりも大きくなるようになされていることを特徴とする請求項４４記載の光記録媒体記録再生装置。
【請求項５６】  上記倍率差発生手段は、アナモルフィックプリズムを含むことを特徴とする請求項５５記載の光記録媒体記録再生装置。
【請求項５７】  上記光ヘッドは、上記対物レンズが搭載される可動部と、上記受発光素子が設けられる固定部とを有し、上記可動部を固定部から独立して移動制御することにより、光記録媒体の信号再生を行なうことを特徴とする請求項４４記載の光記録媒体記録再生装置。
【請求項５８】  上記対物レンズを高速に移動して、上記光記録媒体の高速な信号再生を行なうことを特徴とする請求項４４記載の光記録媒体記録再生装置。
【請求項５９】  上記光記録媒体が光ディスクであり、上記光ディスクの高速回転によって高速な信号再生を行なうことを特徴とする請求項４４記載の光記録媒体記録再生装置。
【手続補正２】
【補正対象書類名】明細書
【補正対象項目名】００２５
【補正方法】変更
【補正の内容】
【００２５】
一方、ホログラム素子７２及び光検出素子７４は、スポットサイズ法によるフォーカスエラー信号（ＦＥ信号）の検出と、プッシュプル法によってトラッキングエラー検出を行なうためのトラッキングエラー信号（ＴＥ信号）の検出と、ランドグルーブ判別信号（ＣＴＳ信号）の検出を行なうためのものである。
なお、本例では光検出素子７４にスポット形状補正手段としてのシリンドリカルレンズ付きの素子を用いているが、別体のシリンドリカルレンズを設けたものであってもよい。
また、図２の枠Ａは、光検出素子７４を横から見た状態を示している。
【手続補正３】
【補正対象書類名】図面
【補正対象項目名】図２
【補正方法】変更
【補正の内容】
【図２】
2002190124.tif 000001